【手続補正書】
【提出日】平成27年3月16日(2015.3.16)
【手続補正１】
【補正対象書類名】特許請求の範囲
【補正対象項目名】全文
【補正方法】変更
【補正の内容】
【特許請求の範囲】
【請求項１】
基地局がエンハンスド物理ダウンリンク制御チャネル（ｅ−ＰＤＣＣＨ）を送信し得る探索空間を判断することと、ここで、前記探索空間は、物理リソースブロック（ＰＲＢ）ペアの周波数−時間リソースの１つまたは複数のフラクショナル部分を備える、
前記判断された探索空間に基づいて前記ｅ−ＰＤＣＣＨを復号しようと試みることと
を備え、
前記ＰＲＢペア中の前記ｅ−ＰＤＣＣＨのための多重化能力は、サブフレームタイプに依存する、
ワイヤレス通信のための方法。
【請求項２】
前記リソースのフラクショナル部分は、周波数分割多重リソースを備える、
請求項１に記載の方法。
【請求項３】
前記リソースのフラクショナル部分は、インターリーブされたトーンを備える、
請求項１に記載の方法。
【請求項４】
前記ＰＲＢペア中で送信されるｅ−ＰＤＣＣＨの数にかかわらず、最大可能ランクに対応するパターンをもつ復調基準信号（ＤＭ−ＲＳ）を送信することをさらに備える、
請求項１に記載の方法。
【請求項５】
周波数−時間リソースの各フラクショナル部分が復調のためのアンテナポートに関連付けられる、
請求項１に記載の方法。
【請求項６】
周波数−時間リソースの前記１つまたは複数のフラクショナル部分へのｅ−ＰＤＣＣＨのマッピングは、第１に周波数、第２に時間の方法に従う、
請求項１に記載の方法。
【請求項７】
チャネル状態情報−基準信号（ＣＳＩ−ＲＳ）またはダウンリンクパイロットタイムスロット（ＤｗＰＴＳ）を含んでいるサブフレームについて、前記多重化能力は、通常のダウンリンクサブフレームの多重化能力よりも小さい、
請求項１に記載の方法。
【請求項８】
前記多重化能力は、ｅ−ＰＤＣＣＨのためのリソース要素（ＲＥ）の数がしきい値を下回るときにより小さい、
請求項７に記載の方法。
【請求項９】
拡張サイクリックプレフィックスを用いるＰＲＢペア中のｅ−ＰＤＣＣＨの前記多重化能力は、ノーマルサイクリックプレフィックスを用いるＰＲＢペアの多重化能力よりも小さい、
請求項１に記載の方法。
【請求項１０】
基地局がエンハンスド物理ダウンリンク制御チャネル（ｅ−ＰＤＣＣＨ）を送信し得る探索空間を判断するための手段と、ここで、前記探索空間は、物理リソースブロック（ＰＲＢ）ペアの周波数−時間リソースの１つまたは複数のフラクショナル部分を備える、
前記判断された探索空間に基づいて前記ｅ−ＰＤＣＣＨを復号しようと試みるための手段と
を備え、
前記ＰＲＢペア中のｅ−ＰＤＣＣＨのための多重化能力は、サブフレームタイプに依存する、
ワイヤレス通信のための装置。
【請求項１１】
前記リソースのフラクショナル部分は、周波数分割多重リソースを備える、
請求項１０に記載の装置。
【請求項１２】
前記リソースのフラクショナル部分がインターリーブされたトーンを備える、
請求項１０に記載の装置。
【請求項１３】
前記ＰＲＢペア中で送信されるｅ−ＰＤＣＣＨの数にかかわらず、最大可能ランクに対応するパターンをもつ復調基準信号（ＤＭ−ＲＳ）を送信するための手段
をさらに備える、
請求項１０に記載の装置。
【請求項１４】
周波数−時間リソースの各フラクショナル部分は、復調のためのアンテナポートに関連付けられる、
請求項１０に記載の装置。
【請求項１５】
周波数−時間リソースの前記１つまたは複数のフラクショナル部分へのｅ−ＰＤＣＣＨのマッピングは、第１に周波数、第２に時間の方法に従う、
請求項１０に記載の装置。
【請求項１６】
チャネル状態情報−基準信号（ＣＳＩ−ＲＳ）またはダウンリンクパイロットタイムスロット（ＤｗＰＴＳ）を含んでいるサブフレームについて、前記多重化能力が通常のダウンリンクサブフレームの多重化能力よりも小さい、
請求項１０に記載の装置。
【請求項１７】
前記多重化能力は、ｅ−ＰＤＣＣＨのためのリソース要素（ＲＥ）の数がしきい値を下回るときにより小さい、
請求項１６に記載の装置。
【請求項１８】
拡張サイクリックプレフィックスを用いるＰＲＢペア中のｅ−ＰＤＣＣＨの前記多重化能力は、ノーマルサイクリックプレフィックスを用いるＰＲＢペアの多重化能力よりも小さい、
請求項１０に記載の装置。
【請求項１９】
基地局がエンハンスド物理ダウンリンク制御チャネル（ｅ−ＰＤＣＣＨ）を送信し得る探索空間を判断することと、ここで、前記探索空間は、物理リソースブロック（ＰＲＢ）ペアの周波数−時間リソースの１つまたは複数のフラクショナル部分を備える、
前記判断された探索空間に基づいて前記ｅ−ＰＤＣＣＨを復号しようと試みることと
を行うように構成される少なくとも１つのプロセッサと、
前記少なくとも１つのプロセッサに結合されたメモリと
を備え、
前記ＰＲＢペア中のｅ−ＰＤＣＣＨのための多重化能力は、サブフレームタイプに依存する、
ワイヤレス通信のための装置。
【請求項２０】
前記リソースのフラクショナル部分は、周波数分割多重リソースを備える、
請求項１９に記載の装置。
【請求項２１】
前記リソースのフラクショナル部分は、インターリーブされたトーンを備える、請求項１９に記載の装置。
【請求項２２】
前記少なくとも１つのプロセッサは、
前記ＰＲＢペア中で送信されるｅ−ＰＤＣＣＨの数にかかわらず、最大可能ランクに対応するパターンをもつ復調基準信号（ＤＭ−ＲＳ）を送信することを行うようにさらに構成される、
請求項１９に記載の装置。
【請求項２３】
周波数−時間リソースの各フラクショナル部分は、復調のためのアンテナポートに関連付けられる、
請求項１９に記載の装置。
【請求項２４】
周波数−時間リソースの前記１つまたは複数のフラクショナル部分へのｅ−ＰＤＣＣＨのマッピングが第１に周波数、第２に時間の方法に従う、
請求項１９に記載の装置。
【請求項２５】
チャネル状態情報−基準信号（ＣＳＩ−ＲＳ）またはダウンリンクパイロットタイムスロット（ＤｗＰＴＳ）を含んでいるサブフレームについて、前記多重化能力は、通常のダウンリンクサブフレームの多重化能力よりも小さい、
請求項１９に記載の装置。
【請求項２６】
前記多重化能力は、ｅ−ＰＤＣＣＨのためのリソース要素（ＲＥ）の数がしきい値を下回るときにより小さい、
請求項２５に記載の装置。
【請求項２７】
拡張サイクリックプレフィックスを用いるＰＲＢペア中のｅ−ＰＤＣＣＨの前記多重化能力は、ノーマルサイクリックプレフィックスを用いるＰＲＢペアの多重化能力よりも小さい、
請求項１９に記載の装置。
【請求項２８】
ワイヤレス通信のためのコンピュータプログラム製品であって、前記コンピュータプログラム製品は、コードを記憶した非一時的コンピュータ可読媒体を備え、前記コードは、
基地局がエンハンスド物理ダウンリンク制御チャネル（ｅ−ＰＤＣＣＨ）を送信し得る探索空間を判断することと、ここで、前記探索空間は、物理リソースブロック（ＰＲＢ）ペアの周波数−時間リソースの１つまたは複数のフラクショナル部分を備える、
前記判断された探索空間に基づいて前記ｅ−ＰＤＣＣＨを復号しようと試みることとを行うために、１つまたは複数のプロセッサによって実行可能であり、
前記ＰＲＢペア中のｅ−ＰＤＣＣＨのための多重化能力は、サブフレームタイプに依存する、
コンピュータプログラム製品。
【請求項２９】
前記リソースのフラクショナル部分は、周波数分割多重リソースを備える、
請求項２８に記載のコンピュータプログラム製品。
【請求項３０】
前記リソースのフラクショナル部分は、インターリーブされたトーンを備える、
請求項２８に記載のコンピュータプログラム製品。
【請求項３１】
前記ＰＲＢペア中で送信されるｅ−ＰＤＣＣＨの数にかかわらず、最大可能ランクに対応するパターンをもつ復調基準信号（ＤＭ−ＲＳ）を送信することを行うためのコードをさらに備える、
請求項２８に記載のコンピュータプログラム製品。
【請求項３２】
周波数−時間リソースの各フラクショナル部分が復調のためのアンテナポートに関連付けられる、
請求項２８に記載のコンピュータプログラム製品。
【請求項３３】
周波数−時間リソースの前記１つまたは複数のフラクショナル部分へのｅ−ＰＤＣＣＨのマッピングは、第１に周波数、第２に時間の方法に従う、
請求項２８に記載のコンピュータプログラム製品。
【請求項３４】
チャネル状態情報−基準信号（ＣＳＩ−ＲＳ）またはダウンリンクパイロットタイムスロット（ＤｗＰＴＳ）を含んでいるサブフレームについて、前記多重化能力が通常のダウンリンクサブフレームの多重化能力よりも小さい、
請求項２８に記載のコンピュータプログラム製品。
【請求項３５】
前記多重化能力は、ｅ−ＰＤＣＣＨのためのリソース要素（ＲＥ）の数がしきい値を下回るときにより小さい、
請求項３４に記載のコンピュータプログラム製品。
【請求項３６】
拡張サイクリックプレフィックスを用いるＰＲＢペア中のｅ−ＰＤＣＣＨの前記多重化能力は、ノーマルサイクリックプレフィックスを用いるＰＲＢペアの多重化能力よりも小さい、
請求項２８に記載のコンピュータプログラム製品。
【請求項３７】
エンハンスド物理ダウンリンク制御チャネル（ｅ−ＰＤＣＣＨ）を送信するために利用可能なリソースの探索空間を判断することと、ここで、前記探索空間は、物理リソースブロック（ＰＲＢ）ペアの周波数−時間リソースの１つまたは複数のフラクショナル部分を備える、
前記判断された探索空間のリソースを利用して前記ｅ−ＰＤＣＣＨを送信することと
を備え、
前記ＰＲＢペア中のｅ−ＰＤＣＣＨのための多重化能力は、サブフレームタイプに依存する、
ワイヤレス通信のための方法。
【請求項３８】
前記リソースのフラクショナル部分は、周波数分割多重リソースを備える、
請求項３７に記載の方法。
【請求項３９】
前記リソースのフラクショナル部分は、インターリーブされたトーンを備える、
請求項３７に記載の方法。
【請求項４０】
前記ＰＲＢペア中で送信されるｅ−ＰＤＣＣＨの数にかかわらず、最大可能ランクに対応するパターンをもつ復調基準信号（ＤＭ−ＲＳ）を受信することをさらに備える、
請求項３７に記載の方法。
【請求項４１】
周波数−時間リソースの各フラクショナル部分は、復調のためのアンテナポートに関連付けられる、
請求項３７に記載の方法。
【請求項４２】
周波数−時間リソースの前記１つまたは複数のフラクショナル部分へのｅ−ＰＤＣＣＨのマッピングは、第１に周波数、第２に時間の方法に従う、
請求項３７に記載の方法。
【請求項４３】
チャネル状態情報−基準信号（ＣＳＩ−ＲＳ）またはダウンリンクパイロットタイムスロット（ＤｗＰＴＳ）を含んでいるサブフレームについて、前記多重化能力は、通常のダウンリンクサブフレームの多重化能力よりも小さい、
請求項３７に記載の方法。
【請求項４４】
前記多重化能力は、ｅ−ＰＤＣＣＨのためのリソース要素（ＲＥ）の数がしきい値を下回るときにより小さい、
請求項４３に記載の方法。
【請求項４５】
拡張サイクリックプレフィックスを用いるＰＲＢペア中のｅ−ＰＤＣＣＨの前記多重化能力は、ノーマルサイクリックプレフィックスを用いるＰＲＢペアの多重化能力よりも小さい、
請求項３７に記載の方法。
【請求項４６】
エンハンスド物理ダウンリンク制御チャネル（ｅ−ＰＤＣＣＨ）を送信するために利用可能なリソースの探索空間を判断するための手段と、ここで、前記探索空間は、物理リソースブロック（ＰＲＢ）ペアの周波数−時間リソースの１つまたは複数のフラクショナル部分を備える、
前記判断された探索空間のリソースを利用して前記ｅ−ＰＤＣＣＨを送信するための手段と
を備え、
前記ＰＲＢペア中のｅ−ＰＤＣＣＨのための多重化能力は、サブフレームタイプに依存する、
ワイヤレス通信のための装置。
【請求項４７】
前記リソースのフラクショナル部分は、周波数分割多重リソースを備える、
請求項４６に記載の装置。
【請求項４８】
前記リソースのフラクショナル部分は、インターリーブされたトーンを備える、
請求項４６に記載の装置。
【請求項４９】
前記ＰＲＢペア中で送信されるｅ−ＰＤＣＣＨの数にかかわらず、最大可能ランクに対応するパターンをもつ復調基準信号（ＤＭ−ＲＳ）を受信するための手段をさらに備える、
請求項４６に記載の装置。
【請求項５０】
周波数−時間リソースの各フラクショナル部分は、復調のためのアンテナポートに関連付けられる、
請求項４６に記載の装置。
【請求項５１】
周波数−時間リソースの前記１つまたは複数のフラクショナル部分へのｅ−ＰＤＣＣＨのマッピングは、第１に周波数、第２に時間の方法に従う、
請求項４６に記載の装置。
【請求項５２】
チャネル状態情報−基準信号（ＣＳＩ−ＲＳ）またはダウンリンクパイロットタイムスロット（ＤｗＰＴＳ）を含んでいるサブフレームについて、前記多重化能力は、通常のダウンリンクサブフレームの多重化能力よりも小さい、
請求項４６に記載の装置。
【請求項５３】
前記多重化能力は、ｅ−ＰＤＣＣＨのためのリソース要素（ＲＥ）の数がしきい値を下回るときにより小さい、
請求項５２に記載の装置。
【請求項５４】
拡張サイクリックプレフィックスを用いるＰＲＢペア中のｅ−ＰＤＣＣＨの前記多重化能力は、ノーマルサイクリックプレフィックスを用いるＰＲＢペアの多重化能力よりも小さい、
請求項４６に記載の装置。
【請求項５５】
エンハンスド物理ダウンリンク制御チャネル（ｅ−ＰＤＣＣＨ）を送信するために利用可能なリソースの探索空間を判断することと、ここで、前記探索空間が物理リソースブロック（ＰＲＢ）ペアの周波数−時間リソースの１つまたは複数のフラクショナル部分を備える、
前記判断された探索空間のリソースを利用して前記ｅ−ＰＤＣＣＨを送信することと
を行うように構成される少なくとも１つのプロセッサと、
前記少なくとも１つのプロセッサに結合されたメモリと
を備え、
前記ＰＲＢペア中のｅ−ＰＤＣＣＨのための多重化能力は、サブフレームタイプに依存する、
ワイヤレス通信のための装置。
【請求項５６】
前記リソースのフラクショナル部分は、周波数分割多重リソースを備える、
請求項５５に記載の装置。
【請求項５７】
前記リソースのフラクショナル部分は、インターリーブされたトーンを備える、
請求項５５に記載の装置。
【請求項５８】
前記少なくとも１つのプロセッサは、
前記ＰＲＢペア中で送信されるｅ−ＰＤＣＣＨの数にかかわらず、最大可能ランクに対応するパターンをもつ復調基準信号（ＤＭ−ＲＳ）を受信することを行うようにさらに構成される、
請求項５５に記載の装置。
【請求項５９】
周波数−時間リソースの各フラクショナル部分は、復調のためのアンテナポートに関連付けられる、
請求項５５に記載の装置。
【請求項６０】
周波数−時間リソースの前記１つまたは複数のフラクショナル部分へのｅ−ＰＤＣＣＨのマッピングは、第１に周波数、第２に時間の方法に従う、
請求項５５に記載の装置。
【請求項６１】
チャネル状態情報−基準信号（ＣＳＩ−ＲＳ）またはダウンリンクパイロットタイムスロット（ＤｗＰＴＳ）を含んでいるサブフレームについて、前記多重化能力は、通常のダウンリンクサブフレームの多重化能力よりも小さい、
請求項５５に記載の装置。
【請求項６２】
前記多重化能力は、ｅ−ＰＤＣＣＨのためのリソース要素（ＲＥ）の数がしきい値を下回るときにより小さい、
請求項６１に記載の装置。
【請求項６３】
拡張サイクリックプレフィックスを用いるＰＲＢペア中のｅ−ＰＤＣＣＨの前記多重化能力は、ノーマルサイクリックプレフィックスを用いるＰＲＢペアの多重化能力よりも小さい、
請求項５５に記載の装置。
【請求項６４】
ワイヤレス通信のためのコンピュータプログラム製品であって、前記コンピュータプログラム製品は、コードを記憶した非一時的コンピュータ可読媒体を備え、前記コードは、
エンハンスド物理ダウンリンク制御チャネル（ｅ−ＰＤＣＣＨ）を送信するために利用可能なリソースの探索空間を判断することと、ここで、前記探索空間は、物理リソースブロック（ＰＲＢ）ペアの周波数−時間リソースの１つまたは複数のフラクショナル部分を備える、
前記判断された探索空間のリソースを利用して前記ｅ−ＰＤＣＣＨを送信することと
を行うために、１つまたは複数のプロセッサによって実行可能であり、
前記ＰＲＢペア中のｅ−ＰＤＣＣＨのための多重化能力は、サブフレームタイプに依存する、
コンピュータプログラム製品。
【請求項６５】
前記リソースのフラクショナル部分は、周波数分割多重リソースを備える、
請求項６４に記載のコンピュータプログラム製品。
【請求項６６】
前記リソースのフラクショナル部分は、インターリーブされたトーンを備える、
請求項６４に記載のコンピュータプログラム製品。
【請求項６７】
前記ＰＲＢペア中で送信されるｅ−ＰＤＣＣＨの数にかかわらず、最大可能ランクに対応するパターンをもつ復調基準信号（ＤＭ−ＲＳ）を受信するためのコードをさらに備える、
請求項６４に記載のコンピュータプログラム製品。
【請求項６８】
周波数−時間リソースの各フラクショナル部分は、復調のためのアンテナポートに関連付けられる、
請求項６４に記載のコンピュータプログラム製品。
【請求項６９】
周波数−時間リソースの前記１つまたは複数のフラクショナル部分へのｅ−ＰＤＣＣＨのマッピングは、第１に周波数、第２に時間の方法に従う、
請求項６４に記載のコンピュータプログラム製品。
【請求項７０】
チャネル状態情報−基準信号（ＣＳＩ−ＲＳ）またはダウンリンクパイロットタイムスロット（ＤｗＰＴＳ）を含んでいるサブフレームについて、前記多重化能力は、通常のダウンリンクサブフレームの多重化能力よりも小さい、
請求項６４に記載のコンピュータプログラム製品。
【請求項７１】
前記多重化能力は、ｅ−ＰＤＣＣＨのためのリソース要素（ＲＥ）の数がしきい値を下回るときにより小さい、
請求項７０に記載のコンピュータプログラム製品。
【請求項７２】
拡張サイクリックプレフィックスを用いるＰＲＢペア中のｅ−ＰＤＣＣＨの前記多重化能力は、ノーマルサイクリックプレフィックスを用いるＰＲＢペアの多重化能力よりも小さい、
請求項６４に記載のコンピュータプログラム製品。